(57)【要約】      （修正有）【課題】  ＨＧＡ保護部材、及びそれを利用してハードディスクドライブにＨＧＡを設置する。【解決手段】  アクチュエータと、アクチュエータに結合されて延びる一対以上のサスペンションと、各サスペンションに付着された固定端である一端及び自由端である他端を備えたフレクシャーと、各フレクシャーの固定端と自由端との間に付着されたスライダとを備えるＨＧＡに装着されてＨＧＡ及びそれに備えられた構成要素の損傷を防止するものであり、サスペンションの過度の動きを制御するフィンガー１１０、１４０を備え、フィンガーには、フレクシャーの自由端を支持するフレクシャー支持部１４４が設けられたＨＧＡ保護部材１００である。【選択図】    図３
2006054045.tif 000002
【特許請求の範囲】
【請求項１】
アクチュエータと，前記アクチュエータに結合されて延びる一対以上のサスペンションと，前記各サスペンションに付着された固定端である一端及び自由端である他端を備えたフレクシャーと，前記各フレクシャーの固定端と自由端との間に付着されたスライダと，を備えるＨＧＡに装着されて，前記ＨＧＡ及びそれに備えられた構成要素の損傷を防止するＨＧＡ保護部材であって：
前記サスペンションの過度の動きを制限するフィンガーを備え，
前記フィンガーには，前記フレクシャーの自由端を支持するフレクシャー支持部が設けられたことを特徴とする，ＨＧＡ保護部材。
【請求項２】
前記サスペンションの先端部には，エンドタップが形成され，
前記フィンガーは，前記エンドタップを支持するエンドタップ支持部を備えたことを特徴とする，請求項１に記載のＨＧＡ保護部材。
【請求項３】
前記フィンガーのフレクシャー支持部とエンドタップ支持部との間に，段差部が形成されたことを特徴とする，請求項２に記載のＨＧＡ保護部材。
【請求項４】
前記フィンガーは，互いに隣接するサスペンション間に挿入されやすいようにテーパされたことを特徴とする，請求項１又は３に記載のＨＧＡ保護部材。
【請求項５】
前記ＨＧＡは，アクチュエータに通り穴を備え，前記通り穴に挿入される装着突起を備えることを特徴とする，請求項１に記載のＨＧＡ保護部材。
【請求項６】
アクチュエータと，前記アクチュエータに結合されて延びる一対以上のサスペンションと，前記各サスペンションに付着された固定端である一端及び自由端である他端を備えたフレクシャーと，前記各フレクシャーの固定端と自由端との間に付着されたスライダと，を備えるＨＧＡに装着されて，前記ＨＧＡ及びそれに備えられた構成要素の損傷を防止するＨＧＡ保護部材は，前記サスペンションの過度の動きを制限する第１フィンガーを備えており，
前記第１フィンガーには，前記フレクシャーの自由端を支持するフレクシャー支持部が設けられた第１ＨＧＡ保護部材を準備するステップと；
前記フレクシャー支持部が，前記フレクシャーの自由端を動かないように支持するように，前記ＨＧＡの互いに隣接するサスペンション間に前記第１フィンガーを挿入する第１ＨＧＡ保護部材を装着するステップと；
前記第１ＨＧＡ保護部材が装着されたＨＧＡをハードディスクドライブのベース部材に設置するステップと；
前記ＨＧＡから第１ＨＧＡ保護部材を分離するステップと；
を含むことを特徴とする，ハードディスクドライブにＨＧＡを設置する方法。
【請求項７】
前記サスペンションの先端部には，エンドタップが形成され，
前記第１フィンガーは，前記エンドタップを支持するエンドタップ支持部を備え，
前記フィンガーを互いに隣接するサスペンション間に挿入すれば，前記エンドタップ支持部が前記エンドタップを動かないように支持することを特徴とする，請求項６に記載のハードディスクドライブにＨＧＡを設置する方法。
【請求項８】
前記第１フィンガーのフレクシャー支持部とエンドタップ支持部との間に，段差が形成されたことを特徴とする，請求項７に記載のハードディスクドライブにＨＧＡを設置する方法。
【請求項９】
前記第１フィンガーは，互いに隣接するサスペンション間に挿入されやすいようにテーパされたことを特徴とする，請求項６，７，または８項のいずれかに記載のハードディスクドライブにＨＧＡを設置する方法。
【請求項１０】
前記ＨＧＡは，アクチュエータに通り穴を備え，前記第１ＨＧＡ保護部材は，前記通り穴に挿入される装着突起を備え，
前記第１ＨＧＡ保護部材をＨＧＡに装着するとき，前記装着突起を前記通り穴に挿入し，
前記第１ＨＧＡ保護部材をＨＧＡから分離するとき，前記通り穴から前記装着突起を取り出すことを特徴とする，請求項６に記載のハードディスクドライブにＨＧＡを設置する方法。
【請求項１１】
ＨＧＡの互いに隣接するサスペンション間に挿入されて，サスペンションのアクチュエータ結合部とフレクシャー付着部との間を支持する第２フィンガーを備えた第２ＨＧＡ保護部材を準備するステップと；
前記ＨＧＡをハードディスクドライブのベース部材に設置する前に，サスペンションのアクチュエータ結合部とフレクシャー付着部との間を支持するように，前記第２フィンガーをＨＧＡの互いに隣接するサスペンション間に挿入する第２ＨＧＡ保護部材を装着するステップと；
前記ＨＧＡから前記第２ＨＧＡ保護部材を分離するステップと；
をさらに含むことを特徴とする，請求項６に記載のハードディスクドライブにＨＧＡを設置する方法。
【発明の詳細な説明】
【技術分野】
【０００１】
本発明は，ハードディスクドライブ（Ｈａｒｄ  Ｄｉｓｋ  Ｄｒｉｖｅ：ＨＤＤ）に係り，特に，ＨＧＡ（Ｈｅａｄ  Ｇｉｍｂａｌ  Ａｓｓｅｍｂｌｙ）の損傷を防止するＨＧＡ保護部材，及び，ＨＧＡ保護部材を利用してＨＤＤにＨＧＡを設置する方法に関する。
【背景技術】
【０００２】
コンピュータの情報保存装置のうち一つであるＨＤＤは，磁気ヘッドを使用してディスクに，又は，ディスクからデータを再生／記録する装置である。上記ＨＤＤのベース部材には，上記磁気ヘッドをディスク上で位置移動可能に支持するＨＧＡが設置されている。
【０００３】
上記ＨＧＡには，その運搬途中や，ベース部材に設置する過程で発生する，ＨＧＡ及びそれに構成する構成要素の損傷を防止するために，ＨＧＡ保護部材が装着される。
【０００４】
図１及び図２は，従来のＨＧＡ保護部材が装着されたＨＧＡを示す斜視図及び背面図である。
【０００５】
図１及び図２に示すように，ＨＧＡ１０は，ピボット１２を中心にＨＤＤのベース部材（図示せず）上で所定角度回転するアクチュエータ１６，上記アクチュエータ１６の先端部に固定結合された二対のサスペンション２０，サスペンション２５，サスペンション３０，サスペンション３５，及び上記ピボット１２を中心としてアクチュエータ１６の反対側に設けられたモータコイル１４を備える。
【０００６】
ＨＤＤのベース部材には，マグネット（図示せず）が設置されて，上記モータコイル１４に入力される電流と上記マグネットにより形成された磁場との相互作用により，フレミングの左手法則による方向にＨＧＡ１０が回転する。
【０００７】
上記各サスペンション２０，サスペンション２５，サスペンション３０，サスペンション３５の先端には，ＨＧＡ１０のパーキング時に，ランプ（図示せず）により支持されるエンドタップ２１，エンドタップ２６，エンドタップ３１，エンドタップ３６が設けられている。
【０００８】
また，上記サスペンション２０，サスペンション２５，サスペンション３０，サスペンション３５は，一対ずつ対向する面に板バネ状等のフレクシャー２２，フレクシャー２７，フレクシャー３２，フレクシャー３７が付着される。
【０００９】
上記フレクシャー２２，フレクシャー２７，フレクシャー３２，フレクシャー３７上には，一対ずつ対向するようにスライダ２３，スライダ２８，スライダ３３，スライダ３８が付着されている。上記各スライダ２３，２８，３３，３８には，ディスク（図示せず）に，又は，ディスクからデータを記録又は再生する磁気ヘッド（図示せず）が搭載されている。
【００１０】
ＨＤＤ（図示せず）の作動時，上記スライダ２３，２８，３３，３８は，回転するディスク（図示せず）の表面から一定な高さを維持して浮き上がっている状態を維持する。
【００１１】
上記浮上状態は，スライダに作用する力の平衡がなされるためであるが，このような力の平衡のために，上記二対のサスペンション２０とサスペンション２５，サスペンション３０とサスペンション３５は，上記対向する二対のスライダ２３とスライダ２８の組，スライダ３３とスライダ３８の組と，各組のスライダがお互い接近する方向に折り曲げられている。
【００１２】
したがって，上記ＨＧＡ１０を運搬するか，またはＨＤＤのベース部材に設置する過程で小さな衝撃が加えられただけでも，対向するスライダ２３とスライダ２８，スライダ３３とスライダ３８が衝突して損傷する場合が発生する。かかる問題点を防止するために，ＨＧＡ１０には，ＨＧＡ保護部材４０が装着される。
【００１３】
上記ＨＧＡ保護部材４０は，その先端部に一対のフィンガー４３，フィンガー４４を備える。そのうち，下側フィンガー４３は，下側の一対のサスペンション２０，サスペンション２５間に挿入され，上側フィンガー４４は，上側の一対のサスペンション３０，サスペンション３５間に挿入される。
【発明の開示】
【発明が解決しようとする課題】
【００１４】
しかしながら，従来のＨＧＡ保護部材４０をＨＧＡ１０に装着した状態でも，二対のフレクシャー２２とフレクシャー２７，フレクシャー３２とフレクシャー３７が衝突により損傷する危険性が依然残されていた。
【００１５】
さらに，フレクシャーに付着する二対のスライダ２３とスライダ２８，スライダ３３とスライダ３８は，フィンガー４３，フィンガー４４により支持されないため依然として衝突による損傷の危険にさらされているという問題点があった。
【００１６】
また，サスペンション２０，サスペンション２５，サスペンション３０，サスペンション３５の先端部のエンドタップ２１，２６，３１，３６も，フィンガー４３，フィンガー４４による支持点から遠く離隔しているので，衝突の可能性が依然として大きいという問題点があった。
【００１７】
本発明は，上記問題点に鑑みてなされたものであり，本発明の目的は，ＨＧＡのサスペンションに限らず，フレクシャー，エンドタップの損傷も防止することが可能な，新規かつ改良されたＨＧＡ保護部材を提供することである。
【課題を解決するための手段】
【００１８】
上記課題を解決するため，本発明の第１の観点によれば，上記の目的を達成するために，本発明は，アクチュエータと，上記アクチュエータに結合されて延びる一対以上のサスペンションと，上記各サスペンションに付着された固定端である一端及び自由端である他端を備えたフレクシャーと，上記各フレクシャーの固定端と自由端との間に付着されたスライダと，を備えるＨＧＡに装着されて，上記ＨＧＡ及びそれに備えられた構成要素の損傷を防止するものであって，上記サスペンションの過度の動きを制限するフィンガーを備え，上記フィンガーには，上記フレクシャーの自由端を支持するフレクシャー支持部が設けられたことを特徴とするＨＧＡ保護部材を提供する。
【００１９】
上記サスペンションの先端部には，エンドタップが形成され，上記フィンガーは，上記エンドタップを支持するエンドタップ支持部を備えるような構成でもよい。
【００２０】
上記フィンガーのフレクシャー支持部とエンドタップ支持部との間に，段差部が形成されるような構成でもよい。
【００２１】
上記フィンガーは，互いに隣接するサスペンション間に挿入されやすくテーパされるような構成でもよい。
【００２２】
上記ＨＧＡは，アクチュエータに通り穴を備え，上記通り穴に挿入される装着突起を備えるような構成でもよい。
【００２３】
上記課題を解決するために，本発明の別の観点によれば，アクチュエータと，上記アクチュエータに結合されて延びる一対以上のサスペンションと，上記各サスペンションに付着された固定端である一端及び自由端である他端を備えたフレクシャーと，上記各フレクシャーの固定端と自由端との間に付着されたスライダと，を備えるＨＧＡに装着されて，上記ＨＧＡ及びそれに備えられた構成要素の損傷を防止するＨＧＡ保護部材が提供される。上記ＨＧＡ保護部材は，上記サスペンションの過度の動きを制限するフィンガーを備え，上記フィンガーには，上記フレクシャーの自由端を支持するフレクシャー支持部が設けられたことを特徴としている。
【００２４】
上記課題を解決するために，本発明の別の観点によれば，アクチュエータと，上記アクチュエータに結合されて延びる一対以上のサスペンションと，上記各サスペンションに付着された固定端である一端及び自由端である他端を備えたフレクシャーと，上記各フレクシャーの固定端と自由端との間に付着されたスライダと，を備えるＨＧＡに装着されて，上記ＨＧＡ及びそれに備えられた構成要素の損傷を防止するＨＧＡ保護部材は，上記サスペンションの過度の動きを制限する第１フィンガーを備えており，上記第１フィンガーには，上記フレクシャーの自由端を支持するフレクシャー支持部が設けられた第１ＨＧＡ保護部材を準備するステップと；上記フレクシャー支持部が，上記フレクシャーの自由端を動かないように支持するように，上記ＨＧＡの互いに隣接するサスペンション間に上記第１フィンガーを挿入する第１ＨＧＡ保護部材を装着するステップと；上記第１ＨＧＡ保護部材が装着されたＨＧＡをハードディスクドライブのベース部材に設置するステップと；上記ＨＧＡから第１ＨＧＡ保護部材を分離するステップと；を含むことを特徴としたハードディスクドライブにＨＧＡを設置する方法が提供される。
【００２５】
上記課題を解決するために，本発明の別の観点によれば，アクチュエータと，上記アクチュエータに結合されて延びる一対以上のサスペンションと，上記各サスペンションに付着された固定端である一端及び自由端である他端を備えたフレクシャーと，上記各フレクシャーの固定端と自由端との間に付着されたスライダと，を備えるＨＧＡに装着されて，上記ＨＧＡ及びそれに備えられた構成要素の損傷を防止するものであって，上記サスペンションの過度の動きを制限する第１フィンガーを備え，上記第１フィンガーには，上記フレクシャーの自由端を支持するフレクシャー支持部が設けられた第１ＨＧＡ保護部材を準備するステップ，上記フレクシャー支持部が，上記フレクシャーの自由端を動かないように支持するように，上記ＨＧＡの互いに隣接するサスペンション間に上記第１フィンガーを挿入する第１ＨＧＡ保護部材を装着するステップ，上記第１ＨＧＡ保護部材が装着されたＨＧＡをＨＤＤのベース部材に設置するステップ，及び上記ＨＧＡから第１ＨＧＡ保護部材を分離するステップを含むことを特徴とするＨＤＤにＨＧＡを設置する方法を提供する。
【００２６】
上記サスペンションの先端部には，エンドタップが形成され，上記第１フィンガーは，上記エンドタップを支持するエンドタップ支持部を備え，上記フィンガーを互いに隣接するサスペンション間に挿入すれば，上記エンドタップ支持部が上記エンドタップを動かないように支持するようにしてもよい。
【００２７】
上記第１フィンガーのフレクシャー支持部とエンドタップ支持部との間に，段差部が形成されるように構成してもよい。
【００２８】
上記第１フィンガーは，互いに隣接するサスペンション間に挿入されやすくテーパされるように構成してもよい。
【００２９】
上記ＨＧＡは，アクチュエータに通り穴を備え，上記第１ＨＧＡ保護部材は，上記通り穴に挿入される装着突起を備え，第１ＨＧＡ保護部材をＨＧＡに装着するとき，上記装着突起を上記通り穴に挿入し，上記第１ＨＧＡ保護部材をＨＧＡから分離するとき，上記通り穴から上記装着突起を取り出すように構成してもよい。
【００３０】
上記ＨＧＡの互いに隣接するサスペンション間に挿入されて，サスペンションのアクチュエータ結合部とフレクシャー付着部との間を支持する第２フィンガーを備えた第２ＨＧＡ保護部材を準備するステップ，ＨＧＡをＨＤＤのベース部材に設置する前に，サスペンションのアクチュエータ結合部とフレクシャー付着部との間を支持するように，上記第２フィンガーをＨＧＡの互いに隣接するサスペンション間に挿入する第２ＨＧＡ保護部材を装着するステップ，及びＨＧＡから上記第２ＨＧＡ保護部材を分離するステップをさらに含むように構成してもよい。
【発明の効果】
【００３１】
以上説明したように，本発明によれば，ＨＧＡ保護部材をＨＧＡに装着すれば，ＨＧＡ保護部材のフィンガーがＨＧＡのフレクシャーとサスペンションのエンドタップとを支持して，運搬やＨＧＡの設置時に，サスペンション，エンドタップ及びフレクシャーの揺れが防止される。これにより，フレクシャー，スライダ及び上記スライダに搭載された磁気ヘッドの損傷を防止できる。
【００３２】
また，上記ＨＧＡ保護部材を利用してＨＤＤにＨＧＡを設置する方法によって，ＨＧＡをＨＤＤのベース部材に設置する過程中に発生するＨＧＡの損傷を予防することができる。
【発明を実施するための最良の形態】
【００３３】
以下，本発明の好適な実施の形態について，添付図面を参照しながら詳細に説明する。なお，以下の説明及び添付図面において，略同一の機能及び構成を有する構成要素については，同一符号を付することにより，重複説明を省略する。
【００３４】
以下に，本実施形態に係るＨＧＡ保護部材，及び，それを利用してＨＤＤにＨＧＡを設置する方法を詳細に説明する。
【００３５】
図３は，本発明の第１実施形態によるＨＧＡ保護部材を示す斜視図であり，図４及び図５は，図３のＨＧＡ保護部材が装着されたＨＧＡを示す平面図及び正面図である。以下で，ＨＧＡは，前述した従来のＨＧＡと構成が同一であるので，詳細な説明は省略する。
【００３６】
図３〜図５に示すように，ＨＧＡ保護部材１００は，プラスチック樹脂をモールディングして形成でき，一側にアクチュエータ１６の第１通り穴１７に挿入される装着突起１０５を備え，他側には，隣接する各対のサスペンション２０とサスペンション２５の間，サスペンション３０とサスペンション３５の間各々に挿入されるフィンガー１１０，フィンガー１４０を備える。また，上記ＨＧＡ保護部材１００には，ハンドル１０２も設けられる。上記アクチュエータ１６の第１通り穴１７は，サスペンション２０，２５，３０，３５をアクチュエータ１６にスエージングにより結合するために形成される通り穴である。なお，スエージング加工は，例えば，金型を高速回転させ連続的に絞り加工を行なう加工法であるが，かかる例に限定されない。
【００３７】
上記一対のフィンガー１１０，１４０は，その形態及び機能が同一であるので，以下で，サスペンション３０，３５間に挿入されるフィンガー１４０について詳述する。上記フィンガー１４０についての説明は，サスペンション２０，２５間に挿入されるフィンガー１１０にもそのまま該当する。
【００３８】
上記フィンガー１４０は，隣接する一対のサスペンション３０，３５間に挿入されやすくテーパされた傾斜面１４２，１５２を備え，略くさび状に形成され，傾斜面１４２から延びた下側及び上側フレクシャー支持部１４３，１４４と，傾斜面１５２から延びた下側及び上側エンドタップ支持部１５３，１５４とを備える。なお，テーパは，例えば，先に行くほど狭くなる，又は，円錐形の直径が上下で異なる事などを表すが，かかる例に限定されない。
【００３９】
上記下側のフレクシャー支持部１４３とエンドタップ支持部１５３との間に，例えば，階段状の段差（又は，段差部）が形成され，上記エンドタップ支持部１５３がさらに下側に位置する。上記上側のフレクシャー支持部１４４とエンドタップ支持部１５４との間にも，例えば，階段状の段差部が形成され，上記エンドタップ支持部１５４がさらに上側に位置する。
【００４０】
このようなフレクシャー支持部１４３，１４４とエンドタップ支持部１５３，１５４との間の段差は，上記フレクシャー支持部１４３，１４４に支持されるフレクシャー３２，３７の厚さに基づいて決まる。
【００４１】
かかるフレクシャー支持部１４３とフレクシャー支持部１４４とが上記フレクシャーの先端部，自由端３２ｂ及び自由端３７ｂの動きを制限するストッパの役割を果たし，スライダ３８とスライダ３３とが接触するのを防いでいる。
【００４２】
上記ＨＧＡ保護部材１００は，ＨＧＡ１０が作られた後でＨＤＤのベース部材（図示せず）に設置されるまでに，上記ＨＧＡ１０の損傷を防止するためにＨＧＡ１０に装着される。
【００４３】
ＨＧＡ保護部材１００は，その装着突起１０５をアクチュエータ１６の第１通り穴１７に挿入し，上記フィンガー１１０，１４０をサスペンション２０と２５，３０と３５間に挿入して装着する。
【００４４】
フィンガー１４０の下上に位置するサスペンション３０，３５には，対向するようにフレクシャー３２，３７が付着されている。上記フレクシャー３２，３７は，一端がサスペンション３０，３５に固定付着されて固定端３２ａ，３７ａとなり，他端が自由端３２ｂ，３７ｂとなる。
【００４５】
上記自由端３２ｂ，３７ｂは，サスペンション３０，３５の先端部に向かって延びるが，上記サスペンション３０，３５の先端部に設けられたエンドタップ３１，３６には至らない。上記フレクシャー３２，３７の固定端３２ａ，３７ａと自由端３２ｂ，３７ｂとの間には，スライダ３３，３８が対向するように装着される。
【００４６】
上記フィンガー１４０をサスペンション３０，３５間に挿入すれば，傾斜面１４２，１５２がフレクシャー３２，３７の自由端３２ｂ，３７ｂとエンドタップ３１，３６とを離隔させ，フレクシャー支持部１４３，１４４がフレクシャー３２，３７の自由端３２ｂ，３７ｂを支持して，上記自由端３２ｂ，３７ｂが上下に過度に揺れる動きを制限し少なくともスライダ３３とスライダ３８とが衝突するのを防ぐ。また，エンドタップ支持部１５３，１５４がエンドタップ３１，３６を支持して，エンドタップ３１，３６が上下に過度に揺れる動きを制限しエンドタップ３１とエンドタップ３６とが衝突するのを防ぐ。
【００４７】
上記ＨＧＡ保護部材１００が装着されたＨＧＡ１０は，ＨＤＤのベース部材（図示せず。）にピボット１２を中心に回転自在に設置される。次いで，上記ＨＧＡ保護部材１００は，フィンガー１１０，１４０をサスペンション２０と２５，３０と３５間から取り出し，装着突起１０５を上記第１通り穴１７から取り出して，ＨＧＡ１０から分離する。
【００４８】
本発明の第１実施形態によるＨＧＡ保護部材１００と共に，図１及び図２を参照して説明した従来のＨＧＡ保護部材４０をＨＧＡ１０に装着することもでき，これにより，ＨＧＡ１０の損傷を未然に防ぎ，さらに安全に保護することができる。
【００４９】
図６及び図７は，本発明の第２実施形態によるＨＧＡ保護部材が装着されたＨＧＡを示す平面図及び背面図である。以下に説明するＨＧＡは，前述した従来のＨＧＡと構成が同一であるので，詳細な説明は省略する。
【００５０】
図６及び図７に示すように，ＨＧＡ保護部材２００は，プラスチック樹脂をモールディングして形成でき，一側にアクチュエータ１６の第２通り穴１８に挿入される装着突起（図示せず）を備え，他側には，隣接する各対のサスペンション２０とサスペンション２５の間，サスペンション３０とサスペンション３５の間に挿入される一対のフィンガー２１０，フィンガー２４０を備える。上記第２通り穴１８は，従来のＨＧＡ保護部材４０（図１及び図２参照）をＨＧＡ１０に装着するために設けられた通り穴をそのまま使用できる。
【００５１】
上記一対のフィンガー２１０，フィンガー２４０は，その形態及び機能が図３〜図５を参照して説明した本発明の第１実施形態１００が備えたフィンガー１１０，フィンガー１４０と，ほぼ同一であるので，その構成についての詳細な説明は省略する。
【００５２】
上記ＨＧＡ保護部材２００は，ＨＧＡ１０が作られた後でＨＤＤのベース部材（図示せず）に設置されるまでに，上記ＨＧＡ１０の損傷を防止するためにＨＧＡ１０に装着される。
【００５３】
上記フィンガー２４０をサスペンション３０，３５間に挿入すれば，傾斜面２４２，傾斜面２５２がフレクシャー３２，３７の自由端３２ｂ，３７ｂとエンドタップ３１，３６とを離隔させ，フレクシャー支持部２４３，２４４がフレクシャー３２，３７の自由端３２ｂ，３７ｂを支持して，上記自由端３２ｂ，３７ｂが上下に揺れる動きを制限する。
【００５４】
また，エンドタップ支持部２５３，２５４がエンドタップ３１，３６を支持して，エンドタップ３１，３６が上下に揺れる動きを制限する。前述したフィンガー２４０についての説明は，他の一つのフィンガー２１０についてもそのまま適用される。
【００５５】
上記ＨＧＡ保護部材２００が装着されたＨＧＡ１０は，ＨＤＤのベース部材（図示せず）にピボット１２を中心に回転自在に設置される。次いで，上記ＨＧＡ保護部材２００は，フィンガー２１０，２４０を，サスペンション２０とサスペンション２５の間，サスペンション３０とサスペンション３５の間から取り出し，第２通り穴１８から装着突起（図示せず）を取り出して，ＨＧＡ１０から分離する。
【００５６】
図８は，本発明の第３実施形態によるＨＧＡ保護部材が装着されたＨＧＡを示す平面図であって，図８に示すように，ＨＧＡ保護部材３００は，フレクシャー３７とエンドタップ３６とを支持する第１フィンガー３４０，及び，サスペンション３５のアクチュエータ１６結合部とフレクシャー３７付着部との間を支持する第２フィンガー３８０を備える。
【００５７】
上記第１フィンガー３４０は，本発明の第１実施形態で説明されたフィンガー１４０（図３参照）と同一であり，上記第２フィンガー３８０は，従来のＨＧＡ保護部材のフィンガー４４（図２参照）と同一であるので，詳細な説明は省略する。
【００５８】
以上で，本実施の形態にかかるＨＧＡ保護部材，ＨＧＡ保護部材の設置方法について説明を終了するが，以下に示すように，優れた効果が存在する。
（１）ＨＧＡ保護部材は，ＨＧＡのサスペンションに限らず，フレクシャー，エンドタップの損傷も防止することが可能である。
（２）ＨＧＡの設置方法により，上記ＨＧＡ保護部材を利用して，ＨＧＡの損傷する危険性を低く抑えることができる。
【００５９】
以上，添付図面を参照しながら本発明の好適な実施形態について説明したが，本発明はかかる例に限定されない。当業者であれば，特許請求の範囲に記載された技術的思想の範疇内において各種の変更例または修正例を想定し得ることは明らかであり，それらについても当然に本発明の技術的範囲に属するものと了解される。例えば，サスペンションが一対のみ備えられたＨＧＡに装着される本発明によるＨＧＡ保護部材は，フィンガーが一つのみ備えられることもできるであろう。したがって，本発明の真の技術的保護範囲は，特許請求の範囲により決まらねばならない。
【産業上の利用可能性】
【００６０】
本発明は，ＨＤＤのＨＧＡを運搬するか，または，保管するとき，ＨＧＡの損傷を防止するためにＨＧＡと結合するＨＧＡ保護部材等に適用可能である。
【図面の簡単な説明】
【００６１】
【図１】従来のＨＧＡ保護部材が装着されたＨＧＡを示す斜視図である。
【図２】従来のＨＧＡ保護部材が装着されたＨＧＡを示す背面図である。
【図３】本発明の第１実施形態によるＨＧＡ保護部材を示す斜視図である。
【図４】図３のＨＧＡ保護部材が装着されたＨＧＡを示す平面図である。
【図５】図３のＨＧＡ保護部材が装着されたＨＧＡを示す正面図である。
【図６】本発明の第２実施形態によるＨＧＡ保護部材が装着されたＨＧＡを示す平面図である。
【図７】本発明の第２実施形態によるＨＧＡ保護部材が装着されたＨＧＡを示す背面図である。
【図８】本発明の第３実施形態によるＨＧＡ保護部材が装着されたＨＧＡを示す平面図である。
【符号の説明】
【００６２】
１００            ＨＧＡ保護部材
１０２            ハンドル
１０５            装着突起
１１０，１４０    フィンガー
１４２，１５２    傾斜面
１４４            上側のフレクシャー支持部
１５４            上側のエンドタップ支持部
【図１】
2006054045.tif 000003
【図２】
2006054045.tif 000004
【図３】
2006054045.tif 000005
【図４】
2006054045.tif 000006
【図５】
2006054045.tif 000007
【図６】
2006054045.tif 000008
【図７】
2006054045.tif 000009
【図８】
2006054045.tif 000010